(57)【要約】【課題】本発明の目的とするところは、安価に製造可能でガタの発生を防止できる足場板を提供することである。【解決手段】足場板本体と引掛部材とからなり、引掛部材がソケットと、ソケットから延設した複数のフックと、各フックの片側または両側に設けた１つまたは複数の切欠とで構成され、上記フックが水平な支持片と支持片の外端に下方に向けて設けた爪とからなり、上記ソケットの上面と支持片の上面と足場板本体の上面とを略面一にさせながらソケットを介して引掛部材を足場板本体の端部に結合させている足場板において、切欠に対応させた長孔または溝を形成した鉄製板母材を、上記長孔または溝の中間または略中間を境にして二重に折り曲げながら上記支持片と爪とソケットとを形成する。【選択図】　　　　図１
2004036350.tif 000002
【特許請求の範囲】
【請求項１】
足場板本体と引掛部材とからなり、引掛部材がソケットと、ソケットから延設した複数のフックと、各フックの片側または両側に設けた１つまたは複数の切欠とで構成され、上記フックが水平な支持片と支持片の外端に下方に向けて設けた爪とからなり、上記ソケットの上面と支持片の上面と足場板本体の上面とを略面一にさせながらソケットを介して引掛部材を足場板本体の端部に結合させている足場板において、切欠に対応させた長孔または溝を形成した鉄製板母材を、上記長孔または溝の中間または略中間を境にして二重に折り曲げながら上記支持片と爪とソケットとを形成した足場板。
【請求項２】
ソケットに爪と対向する１つまたは複数の突出部を設けた請求項１に記載の足場板。
【発明の詳細な説明】
【０００１】
【発明の属する技術分野】
本発明は、枠組足場の使用に適するフック付の足場板に関し、特にフックの改良に関する。
【０００２】
【従来の技術】
従来の枠組足場に使用されるフック付の足場板は、実公平１−１１８７０号公報に開示され、その足場板本体の長手方向の両端部に設けた一対の断面略釣針状で上方に盛り上がった肉厚のフックを用いて、建枠の横材に架設されていた。
【０００３】
しかし、上述のようなフックでは、実際に縦方向に連設された建枠間に架設する場合、フックの上部が足場板本体の上面より上方に突出するため、作業員が歩行するときに足を引っ掛けたり、作業員が上方の横材や足場板に頭をぶつける等の安全面での不具合があった。
【０００４】
さらに、フックが上方に突出しているため、複数の足場板を重ねるとフックの突出高さ分、重ね寸法が大きくなるから、積み重ね時には足場板を横にずらして積み重ねなければならず、収納に不便であり、さらに、運搬時または建枠に取付ける際、上記フックを建枠や他の足場板に接触する等により損傷する場合があった。
【０００５】
また、枠組足場板には長手方向に沿って、複数の足場板を列設するのが普通であるが、この場合横材を境にして対向する隣接した２つの足場板本体間にフックの長さ分の隙間が発生し、この隙間から工具が落下したり、作業者がつまづく危険がある。
【０００６】
そこで、上記不具合を解消するべく、たとえば特開平８−８６０８６号公報に開示されているように、上記隙間やフックの上方への突出を無くし、フック上面と足場板本体の上面と略面一にした足場板が開発されている。
【０００７】
この足場板は図９に示すように、足場板本体５４と、足場板本体５４の端部にソケット５３を介して結合した複数のフック５１と、各フック５１，５１間に形成した切欠５７とで構成されている。
【０００８】
【発明が解決しようとする課題】
しかし、上述の改良された足場板は、上述のような不具合は解消されているが、以下の点で問題がある。
【０００９】
すなわち、持ち運びや架設時の利便性から足場板はできるだけ軽くしたいが、足場板自体をアルミニューム材で製造すると高価となってしまう。
【００１０】
したがって、足場板を安価な鉄製としたいが、図９に示すように、この改良された足場板のフックと同形状のフックは、鉄製で成形することが困難である。
【００１１】
さらに、改良された足場板では、フック５１の先端爪５１ａとソケット５３の正面５３ａとの間の感覚が枠組足場の横材の直径より大きいので、フック５１を横材に引っ掛けたとき、若干のガタがあり、足場板が不安定となる恐れがある。すなわち、図９に示すようにフック５１と楔５２を用いて建枠の横材を抱持することにより足場板の上下方向への移動を抑制するようにしているが、上記の楔をバネ力のみで長手方向に付勢しているのみであることから、建枠間に複数連設された場合、作業員が歩行中に、足場板の長手方向沿って、移動してしまう場合がある。
【００１２】
そこで、本発明の目的とするところは、安価に製造可能でガタの発生を防止できる足場板を提供することである。
【００１３】
【課題を解決するための手段】
上記の目的を達成するため、本発明は、足場板本体と引掛部材とからなり、引掛部材がソケットと、ソケットから延設した複数のフックと、各フックの片側または両側に設けた１つまたは複数の切欠とで構成され、上記フックが水平な支持片と支持片の外端に下方に向けて設けた爪とからなり、上記ソケットの上面と支持片の上面と足場板本体の上面とを略面一にさせながらソケットを介して引掛部材を足場板本体の端部に結合させている足場板において、切欠に対応させた長孔または溝を形成した鉄製板母材を、上記長孔または溝の中間または略中間を境にして二重に折り曲げながら上記支持片と爪とソケットとを形成したことにより、引掛部材が一枚の鉄製板状の母材から、折り曲げ加工及びプレス加工により製造可能であるから、安価に製造することが可能である。
【００１４】
さらに、引掛部材を上記構成とすることにより、引掛部材を無垢材ではなく板母材から形成し、爪部分を中空にすることができるので、鉄製の材料を使用しても足場板を軽量なものとすることができる。
【００１５】
また、引掛部材と足場板本体とを略面一にしているので、引掛部材と足場板本体の段差は、引掛部材の上側の板の厚みのみであるので、足場板は略平らであるから、作業員が歩行する際、つまづく危険性が少ない。
【００１６】
そして、引掛部材が厚くないため、建枠に架設しても、該足場板が架設された横材と上方の建枠の横材との間隔を狭めることが無いので、作業員が頭をぶつける等の弊害を防止することができる。
【００１７】
また、さらに、フックが、上方に突出することが無いので、積み重ね時に、足場板を横にずらす必要が無いので、収納に便利である。
【００１８】
そして、さらに、ソケットに爪と対向する１つまたは複数の突出部を設けたので、突出部と横材が干渉することにより、横材に対する足場板の長手方向へのずれを抑制する事ができる。
【００１９】
すなわち、作業員がこの足場板の上を歩行しても、上記ずれを抑制できるので、作業員は従来の足場板にくらべて、より一層安全に作業をすることが可能である。
【００２０】
【発明の実施の形態】
本発明に係る足場板Ａは、足場板本体１と、引掛部材Ｆと、楔機構Ｗとから構成されている。
【００２１】
以下、各部を詳細に説明する。
【００２２】
足場板本体１は、図６の足場板Ａ−Ａ’断面図に示す様に断面形状が略コ字状の形状をした足場板部材１ａ、１ａを二つ並行に隣接させてなり、各部材１ａ、１ａは、その長手方向両端を後述する引掛部材Ｆのソケット１１に挿入され４本のリベット４で連結されている。
【００２３】
また、各部材１ａ、１ａの上面両端付近には滑り止めのリブが多数設けられている。
【００２４】
そして、足場板本体１には、足場板本体１上面の短手方向両端の任意の位置に、巾木（図示せず）取付用の孔１ｂが４箇所設けられ、略中央下面には短手方向に沿って補強材１ｃが接合されている。
【００２５】
上記構成により、足場板部材１ａ、１ａは、鉄板を折り曲げ加工によって、成形することができ安価に製造することが可能であり、また、足場板部材１ａ、１ａを二つ隣接させて足場板本体１を形成されており、足場板本体１の中央で各部材１ａ、１ａの折り曲げ加工された端部が隣接して、接合されているから、その部分の強度が保証されている。
【００２６】
また、各足場板部材１ａ、１ａが、ソケット１１とリベット４による接合のみでなく、補強材１ｃにより補強されているので、リベット４が破断等してもバラバラになることが無いので、安全である。
【００２７】
さらに、足場板本体１に、上記巾木孔が設けられ、直接足場板本体１に巾木が接続されるので、足場板本体１と巾木の間に隙間ができることが無いので、作業員の安全が図られている。
【００２８】
また、図７に示すように、この場合には、後述する引掛部材Ｆ１、Ｆ２を足場板短手方向に短いものとすることが必要であるが、足場板本体１を一つの足場板部材１ａにより構成してもよい。
【００２９】
つぎに、引掛部材Ｆについて説明する。
【００３０】
引掛部材Ｆは、足場板本体１の両端に、接続されており、説明の都合上、引掛部材Ｆ１を左側引掛部材とし、引掛部材Ｆ２を右側引掛部材とする。
【００３１】
左右の引掛部材Ｆ１、Ｆ２はどちらも同様の形状をしているため、重複する部分についてはその説明を省略する。
【００３２】
引掛部材Ｆ１は、図３に示すように、３つのフック１２、１３、１５と、フック１２、１３、１５に連設させて設けた３つの切欠１４ａ、１４ｂ、１４ｃと、足場板本体１を挿入するソケット１１と、２つの突出部２０ａ、２０ｂから構成されている。
【００３３】
そして、右側引掛部材Ｆ１のフック１２、１３、１５は、左側の引掛部材Ｆ２の切欠１９ａ、１９ｂ、１９ｃと同一軸線上に設けられ、逆に、左側の引掛部材のフック１６、１７、１８は、右側の引掛部材Ｆ１の切欠１４ａ、１４ｂ、１４ｃと同一軸線上に設けられている。
【００３４】
すなわち、左右の引掛部材Ｆ１、Ｆ２の各フック１２、１３、１５、１６、１７、１８と各切欠１４ａ、１４ｂ、１４ｃ、１９ａ、１９ｂ、１９ｃとは互い違いとなっている。
【００３５】
上記構成により、たとえば、右側引掛部材Ｆ１のフック１２、１３、１５は、本発明に係る足場板Ａを建枠に架設した場合、隣接する足場板Ａの切欠に入り込むことができ、足場板Ａ、Ａ間に隙間ができることは無い。
【００３６】
上記フック１２は、図４に示すように、引掛部材Ｆのソケット１１から足場板本体１の長手方向外方に延設される水平な支持片１２ａと、支持片１２ａの外端に下方に向けて設けられた三角形状の爪１２ｂとで構成される。
【００３７】
上述の左右の引掛部材Ｆ１、Ｆ２は、図８に示す切欠１４ａ、１４ｂ、１４ｃ、１９ａ、１９ｂ、１９ｃの対応する部分に長孔４１ｅ、４１ｅ及び溝４１ｋを設けた板母材４１を、たとえば、上側板４１ａを山折線４１ｆで折り曲げ、下側板先端部４１ｄの中間を山折線４１ｊと谷折線４１ｉで折り曲げＬ字状に成形し、下側板基端部４１ｂを山折線４１ｇと谷折線４１ｈでプレス加工して折り曲げ略直角三角形状に突出させて、形成する。
【００３８】
上記のように加工することにより、上側板４１ａの先端部と下側板の先端部４１ｄとで、ソケット１１、２２が形成され、上側板４１ａの中間部と下側板の中間部４１ｃとで、支持体１２ａ、１３ａ、１４ａ、１６ａ、１７ａ、１８ａが形成され、上側板４１ａの基端部と下側板の基端部４１ｂとで、爪１２ｂ、１３ｂ、１４ｂ、１６ｂ、１７ｂ、１８ｂが形成され、上記の長孔４１ｅ、４１ｅ及び溝４１ｋで切欠１４ａ、１４ｂ、１４ｃ、１９ａ、１９ｂ、１９ｃが形成されるので、引掛部材Ｆ１、Ｆ２は一体成形される。
【００３９】
したがって、１枚の板母材４１から簡単な加工で引掛部材Ｆ１、Ｆ２を成形できるので、生産性が向上し、また、安価に製造することができる。
【００４０】
なお、上記の加工工程は一例であり、加工順序や加工手法は上記したものに限定されるものではない。
【００４１】
また、上記の引掛部材Ｆ１、Ｆ２の構成より、特に爪１２ｂの部分は中空になっており、鉄製としても軽量に作ることが可能であると共に、１枚の鉄板から上記加工を施せば製作が可能であるので、上述の改良された足場板と略同様の形状を安価に製造できることとなる。
【００４２】
右側引掛部材Ｆ１の基端側には、足場板本体１を挟み込められる様に上下の板１１ａ、１１ｂで形成されたソケット１１が設けられるとともに上下の板１１ａ、１１ｂを貫通する孔１１ｃ、１１ｄが設けられ、ソケット１１に足場板本体１の端部を挿入し、上記孔１１ｃ、１１ｄに挿入したリベット４で引掛部材Ｆと足場板本体１が連結される。
【００４３】
すると、足場板本体１の上面と右側引掛部材Ｆ１の上面とは、略平らの面を形成することができるので、段差がほとんど無く、作業員が上記上面を歩行してもつまずくことが無く、また、フック１２、１３、１５の厚さは、さほど厚くないため、建枠に架設しても、該足場板Ａが架設された横材と上方の建枠の横材との間隔を狭めることが無いので、作業員が頭をぶつける等の弊害を防止することができる。
【００４４】
突出部２０ａ、２０ｂは、引掛部材Ｆ１の足場板Ａ短手方向の両端付近の任意の位置にそれぞれ膨出されている。
【００４５】
なお、左側引掛部材Ｆ２も右側引掛部材Ｆ１と同様の構成となっている。
【００４６】
さらに、本実施の形態では、左右の引掛部材Ｆ１、Ｆ２にフック及び切欠を各３つずつ設けているが、フックの数と切欠の数を同数とすればフックの数は何本でもよい。ただし、右側引掛部材Ｆ１のフックの数を１本にした場合には、左側引掛部材Ｆ２のフックの数を２本とし、右側引掛部材Ｆ１のフックと切欠の配置を引掛部材Ｆ１を上側から見たときに凸状に、すなわちフックの左右に切欠を配置して、左側引掛部材Ｆ２の方は上から見たときに凹状に、すなわち切欠の左右にフックを配置するようにすることが必要である。
【００４７】
楔機構Ｗは、図５（Ａ）に示すように、左右引掛部材Ｆ１、Ｆ２の任意の位置各２箇所づつ設けられており、楔３と、前記楔３を引掛部材Ｆに取付ける為のブラケット３２と、楔を付勢するためのバネ３１とで構成される。
【００４８】
楔３は、楔本体３ａの先端を楔部分３ｆとして、基端部に設けた操作孔３ｃと、引掛部材３ｅと、上記バネ３１を連結するための孔３ｄと、ピン３ｂとで構成されている。
【００４９】
他方、ブラケット３２は、角筒の胴体部分３２ａと、胴体部分３２ａに設けた長孔３２ｃと、胴体部分３２ａの上端部に立ち上げたプレート３２ｄと、前記プレート３２ｄに設けたバネに連結するための孔３２ｂとで構成され、上記引掛部材Ｆのソケット１１の下側の板１１ｂに接合される。
【００５０】
そして、楔３は、バネ３１によって楔３が引掛部材Ｆ側に突出するように付勢されながら、ブラケット３２の胴体部分３２ａ内に移動可能なように挿入される。
【００５１】
このとき、楔３のピン３ｂがブラケット３２の長孔３２ｃ内に挿入されて、楔３の動作が案内される。
【００５２】
また、楔を使用しないときには、長孔３２ｃの基端に設けた切欠３２ｅがピン３ｄを引っ掛けると同時に、楔３の引掛部材３ｅとブラケット３２の胴体部分３２ａの上端に引っ掛けることによりバネ３１のバネ力にこうして、楔３が引掛部材Ｆ１、Ｆ２内に収められるようになっている。
【００５３】
また、上記のように引掛部材Ｆ１、Ｆ２内に収められた位置から、操作孔３ｃを利用して、楔３を下方に引くと、上記の長孔の切欠３２ｅからピン３ｄが脱出し、且つ、楔３の引掛部材３ｅがブラケット３２の胴体部分３２ａの上端から開放されて、楔３の先端がバネ３１のバネ力により上記引掛部材Ｆ１、Ｆ２の外に突出するようになっている。
【００５４】
以上、足場板Ａを、上記構成としているので、フックが上方に突出することが無いので、積み重ね時に、足場板を横にずらす必要が無いので、収納に便利であり、建枠や他の足場板に接触する等により損傷する危険性が抑制される。
【００５５】
つぎに作用について説明する。
【００５６】
図２及び図３は、本発明に係る足場板Ａと建枠の横材Ｐに架設した状態における側面図及び平面図である。
【００５７】
本発明に係る足場板Ａは、図２及び図３に示すように、各フック１２、１３、１５、１６、１７、１８を横材Ｐに引掛けることにより、建枠に架設される。
【００５８】
そして、図５（Ｂ）に示すように、上記楔３を引掛部材Ｆ１、Ｆ２内に収められた位置から、上述したように楔３を下方に引っ張ると、バネ３１のバネ力により、楔３の先端がフック側に突出することとなり、この楔３の先端楔部分３ｆと、フック１２の支持片１２ａと、爪１２ｂとの３点支持により横材Ｐを把持することになり、足場板Ａの架設を簡易に行うことができる。
【００５９】
このとき、図５（Ｂ）、（Ｃ）に示すように、横材Ｐの下側を把持する楔３であるため、横材Ｐのパイプ径にあわせて把持できるので、足場板Ａを異なるパイプ径の横材を有する建枠に架設することができる。
【００６０】
また、足場板Ａを横材Ｐから取り外す際には、先程とは逆に楔３をバネ３１のバネ力に抗するように、引掛部材Ｆ１、Ｆ２内に引くようにして、上述の楔３の引掛部材３ｅをブラケット３２の胴体部分３２ａの上端に引っ掛けると共に、ピン３ｄを長孔３２ｃの切欠３２ｅに引っ掛けることにより、楔３を上記引掛部材Ｆ１、Ｆ２内に収めて、取り外す。
【００６１】
さらに、上述のように、建枠に足場板Ａが複数隣接して架設された場合、足場板Ａの両端の各フック１２、１３、１５、１６、１７、１８が、隣接する足場板Ａの各切欠に入り込むこととなり、足場板Ａ、Ａ間に隙間ができることは無い。
【００６２】
そして、このように組み合わされた足場板Ａ、Ａ間の引掛部材Ｆ１、Ｆ２には、突出部が膨出されているので、この突出部２０ａ、２０ｂ、２１ａ、２１ｂと横材Ｐが干渉することにより、横材Ｐに対する足場板Ａの長手方向へのずれを抑制する事ができる。
【００６３】
すると、作業員がこの足場板Ａの上を歩行しても、上記ずれが抑制されるので、作業員は安全に作業をすることが可能である。
【００６４】
【発明の効果】
請求項１に記載の発明によれば、以下の効果がある。
【００６５】
引掛部材が一枚の鉄製板状の母材から、折り曲げ加工及びプレス加工により製造可能であるから、安価に製造することが可能である。
【００６６】
さらに、引掛部材を請求項１の形状としたから、鉄製の材料を使用しても足場板を軽量なものとすることができる。
【００６７】
また、引掛部材と足場板本体との段差は、引掛部材の上側の板の厚みのみであるので、足場板は略平らであるから、作業員が歩行する際、つまづく危険性が少ない。
【００６８】
そして、引掛部材が厚くないため、建枠に架設しても、該足場板が架設された横材と上方の建枠の横材との間隔を狭めることが無いので、作業員が頭をぶつける等の弊害を防止することができる。
【００６９】
また、さらに、フックが、上方に突出することが無いので、積み重ね時に、足場板を横にずらす必要が無いので、収納に便利である。
【００７０】
請求項２に記載の発明によれば、請求項１の発明の効果に加え、以下の効果がある。
【００７１】
引掛部材のソケットに突出部を膨出させているから、突出部と横材が干渉することにより、横材に対する足場板の長手方向へのずれを抑制する事ができる。
【００７２】
すなわち、作業員がこの足場板の上を歩行しても、上記ずれを抑制できるので、作業員は従来の足場板にくらべて、より一層安全に作業をすることが可能である。
【図面の簡単な説明】
【図１】本発明に係る足場板の平面図である。
【図２】本発明に係る足場板を横材に架設した状態における側面図である。
【図３】本発明に係る足場板を横材に架設した状態における引掛部材の拡大平面図である。
【図４】本発明に係る足場板の引掛部材におけるＢ−Ｂ’断面図である。
【図５】（Ａ）本発明に係る楔機構の側面図である。
（Ｂ）横材を把持した状態における本発明に係る楔機構及びフックの側面図である。
（Ｃ）横材を把持した状態における本発明に係る楔機構及びフックの側面図である。
【図６】本発明に係る足場板のＡ−Ａ’断面図である。
【図７】本発明に係る足場板の平面図である。
【図８】本発明に係る引掛部材の母材である。
【図９】改良された足場板である。
【符号の説明】
１　　足場板本体
１１、２２　ソケット
１２、１３、１５、１６、１７、１８　フック
１２ａ、１３ａ、１５ａ、１６ａ、１７ａ、１８ａ　支持片
１２ｂ、１３ｂ、１５ｂ、１６ｂ、１７ｂ、１８ｂ　爪
１４ａ、１４ｂ、１４ｃ、１９ａ、１９ｂ、１９ｃ　切欠
２０ａ、２０ｂ、２１ａ、２１ｂ　突出部
４１　板母材
４１ａ　上側板
４１ｂ　下側板基端部
４１ｃ　下側板中間部
４１ｄ　下側板先端部
４１ｅ　長孔
４１ｋ　溝
Ａ　足場板
Ｆ１、Ｆ２　引掛部材
Ｗ　楔機構
【図１】
2004036350.tif 000003
【図２】
2004036350.tif 000004
【図３】
2004036350.tif 000005
【図４】
2004036350.tif 000006
【図５】
2004036350.tif 000007
【図６】
2004036350.tif 000008
【図７】
2004036350.tif 000009
【図８】
2004036350.tif 000010
【図９】
2004036350.tif 000011